(57)【要約】【課題】耐衝撃性、および曲げ弾性率に優れる木粉含有ポリオレフィン樹脂組成物を提供する。【解決手段】本発明の木粉含有樹脂組成物は、針葉樹木粉（Ａ１）と、ポリプロピレン（Ａ２）とを溶融混練して粒状とした第一の樹脂粒（Ａ）と、針葉樹木粉（Ｂ１）と、ポリエチレン（Ｂ２）と、無水マレイン酸変性ポリエチレン樹脂（Ｂ３）とを溶融混練して粒状とした第二の樹脂粒（Ｂ）と、を更に溶融混練してなり、ＪＩＳ  Ｋ７１７１に準拠して測定した曲げ弾性率が２０００ＭＰａ以上であり、ＪＩＳ  Ｋ７１１０に準拠して測定したシャルピー衝撃値が４．０ｋＪ／ｍ２以上である。【選択図】なし【特許請求の範囲】
【請求項１】
針葉樹木粉（Ａ１）と、ポリプロピレン（Ａ２）とを溶融混練して粒状とした第一の樹脂粒（Ａ）と、
針葉樹木粉（Ｂ１）と、ポリエチレン（Ｂ２）と、無水マレイン酸変性ポリエチレン樹脂（Ｂ３）とを溶融混練して粒状とした第二の樹脂粒（Ｂ）と、
からなり、
ＪＩＳ  Ｋ７１７１に準拠して測定した曲げ弾性率が２０００ＭＰａ以上であり、
ＪＩＳ  Ｋ７１１０に準拠して測定したシャルピー衝撃値が４．０ｋＪ／ｍ２以上である木粉含有ポリオレフィン樹脂組成物。
【請求項２】
前記第一の樹脂粒（Ａ）は、前記ポリプロピレン（Ａ２）１００質量部に対し、前記針葉樹木粉（Ａ２）を３０〜５０質量部の割合で含む請求項１に記載の木粉含有ポリオレフィン樹脂組成物。
【請求項３】
前記第二の樹脂粒（Ｂ）は、前記ポリエチレン（Ｂ２）と前記無水マレイン酸変性ポリエチレン樹脂（Ｂ３）とを、質量比８０：２０〜９０：１０の割合で含むとともに、前記ポリエチレン（Ｂ２）と前記無水マレイン酸変性ポリエチレン樹脂（Ｂ３）とを合計した樹脂量１００質量部に対し、前記針葉樹木粉（Ｂ１）を３０〜５０質量部の割合で含む請求項１または２に記載の木粉含有ポリオレフィン樹脂組成物。
【請求項４】
前記木粉含有ポリオレフィン樹脂組成物は、前記第一の樹脂粒（Ａ）と前記第二の樹脂粒（Ｂ）とを、質量比７０：３０〜９０：１０の割合で含む請求項１〜３のいずれか一つに記載の木粉含有ポリオレフィン樹脂組成物。
【請求項５】
前記ポリエチレンは、高密度ポリエチレンである請求項１〜４のいずれか一つに記載の木粉含有ポリオレフィン樹脂組成物。
【請求項６】
前記木粉含有ポリオレフィン樹脂組成物は、前記ポリプロピレン（Ａ２）、前記ポリエチレン（Ｂ２）、および前記無水マレイン酸変性ポリエチレン樹脂（Ｂ３）とを合計した樹脂量１００質量部に対し、前記針葉樹木粉（Ａ１）および前記針葉樹木粉（Ｂ１）の合計が４０〜５０質量部である請求項１〜５のいずれか一つに記載の木粉含有ポリオレフィン樹脂組成物。
【発明の詳細な説明】
【技術分野】
【０００１】
本発明は、軽量で機械的強度に優れる木粉含有ポリオレフィン樹脂組成物に関する。
【背景技術】
【０００２】
木材、パルプ等のセルロース系材料は、軽量、高強度、高弾性率、低熱膨張率という優れた特性を有することから、樹脂等の補強材料として使用されている。セルロース系材料は親水性が高いため、ポリオレフィン樹脂等の疎水性の高い樹脂の補強材料として使用する場合、複合材料中のセルロース系材料の分散性が悪く、得られる複合材料の機械的強度は十分なものではない。
【０００３】
これに対し、セルロース系粉体とポリオレフィン系樹脂とを所定の割合で含有するセルロース系粉体含有複合樹脂成形体において、不飽和カルボン酸またはその誘導体で変性したポリオレフィン樹脂を配合することにより、成形体の耐衝撃性を向上する技術が提案されている（例えば、特許文献１および２参照）。
【０００４】
また、解繊された古紙に、ポリプロピレンと変性ポリプロピレンを所定の割合で含浸させた複合樹脂組成物（例えば、特許文献４、参照）や、ポリオレフィン樹脂と、多塩基酸無水物でエステル化されたエステル化リグノセルロース系またはセルロース系物質と、変性ポリオレフィンとを含む、ポリオレフィン系樹脂組成物が提案されている（例えば、特許文献５および６、参照）。
【先行技術文献】
【特許文献】
【０００５】
【特許文献１】特公昭５９−３０１７６号公報
【特許文献２】特許第３５００４０３号公報
【特許文献３】特開平５−３２０３６７号公報
【特許文献４】特許第３６７４１５０号公報
【特許文献５】特開２００５−２００６１５号公報
【発明の概要】
【発明が解決しようとする課題】
【０００６】
特許文献１〜５では、樹脂組成物に、セルロース系材料とオレフィン系樹脂との界面の親和性を増す不飽和カルボン酸等で変性されたオレフィン樹脂を配合することにより、両者の結合強度を増強して、樹脂組成物の耐衝撃性を向上する。しかしながら、自動車部品等の強度が要求される分野で使用を考慮すると、十分なものではなかった。
【０００７】
本発明は、上記に鑑みてなされたものであって、耐衝撃性、および曲げ弾性率に優れる木粉含有ポリオレフィン樹脂組成物を提供すること目的とする。
【課題を解決するための手段】
【０００８】
本発明者らは、上記課題を解決するために鋭意研究を重ねた結果、ポリプロピレンと針葉樹木粉からなる第一の樹脂粒と、ポリエチレンと針葉樹木粉と変性ポリエチレン樹脂とからなる第二の樹脂粒とを溶融混練してなる木粉含有ポリオレフィン樹脂組成物が、高い耐衝撃性と曲げ弾性とを実現しうることを見出し、本発明を完成するに至った。
【０００９】
本発明に係る木粉含有ポリオレフィン樹脂組成物は、針葉樹木粉（Ａ１）と、ポリプロピレン（Ａ２）とを溶融混練して粒状とした第一の樹脂粒（Ａ）と、針葉樹木粉（Ｂ１）と、ポリエチレン（Ｂ２）と、無水マレイン酸変性ポリエチレン樹脂（Ｂ３）とを溶融混練して粒状とした第二の樹脂粒（Ｂ）と、からなり、ＪＩＳ  Ｋ７１７１に準拠して測定した曲げ弾性率が２０００ＭＰａ以上であり、ＪＩＳ  Ｋ７１１０に準拠して測定したシャルピー衝撃値が４．０ｋＪ／ｍ２以上である。
【００１０】
また、本発明に係る木粉含有ポリオレフィン樹脂組成物は、上記発明において、前記第一の樹脂粒（Ａ）は、前記ポリプロピレン（Ａ２）１００質量部に対し、前記針葉樹木粉（Ａ２）を３０〜５０質量部の割合で含む。
【００１１】
また、本発明に係る木粉含有ポリオレフィン樹脂組成物は、上記発明において、前記第二の樹脂粒（Ｂ）は、前記ポリエチレン（Ｂ２）と前記無水マレイン酸変性ポリエチレン樹脂（Ｂ３）とを、質量比８０：２０〜９０：１０の割合で含むとともに、前記ポリエチレン（Ｂ２）と前記無水マレイン酸変性ポリエチレン樹脂（Ｂ３）とを合計した樹脂量１００質量部に対し、前記針葉樹木粉（Ｂ１）を３０〜５０質量部の割合で含む。
【００１２】
また、本発明に係る木粉含有ポリオレフィン樹脂組成物は、上記発明において、前記木粉含有ポリオレフィン樹脂組成物は、前記第一の樹脂粒（Ａ）と前記第二の樹脂粒（Ｂ）とを、質量比７０：３０〜９０：１０の割合で含む。
【００１３】
また、本発明に係る木粉含有ポリオレフィン樹脂組成物は、上記発明において、前記ポリエチレンは、高密度ポリエチレンである。
【００１４】
また、本発明に係る木粉含有ポリオレフィン樹脂組成物は、上記発明において、前記木粉含有ポリオレフィン樹脂組成物は、前記ポリプロピレン（Ａ２）、前記ポリエチレン（Ｂ２）、および前記無水マレイン酸変性ポリエチレン樹脂（Ｂ３）とを合計した樹脂量１００質量部に対し、前記針葉樹木粉（Ａ１）および前記針葉樹木粉（Ｂ１）の合計が４０〜５０質量部である。
【発明の効果】
【００１５】
本発明によれば、耐衝撃性、および曲げ弾性率に優れる木粉含有ポリオレフィン樹脂組成物を得ることが可能となる。
【発明を実施するための形態】
【００１６】
以下、本発明の実施の形態を詳細に説明する。なお、以下に説明する実施の形態により本発明が限定されるものではない。
【００１７】
本発明に係る木粉含有ポリオレフィン樹脂組成物は、針葉樹木粉（Ａ１）と、ポリプロピレン（Ａ２）とを溶融混練して粒状とした第一の樹脂粒（Ａ）と、針葉樹木粉（Ｂ１）と、ポリエチレン（Ｂ２）と、無水マレイン酸変性ポリエチレン樹脂（Ｂ３）とを溶融混練して粒状とした第二の樹脂粒（Ｂ）と、を更に溶融混練してなる。
【００１８】
[第一の樹脂粒（Ａ）]
第一の樹脂粒（Ａ）は、セルロース系材料として針葉樹木粉（Ａ１）を使用する。針葉樹木粉（Ａ１）は、針葉樹が粉砕されたものである。針葉樹木粉の原料としては、スギ、ヒノキ、スプルース、ベイツガ、マツ等が例示される。木粉の大きさとしては、５０メッシュ〜１００メッシュのものが、木粉含有ポリオレフィン樹脂組成物の機械的強度の向上のために好ましい。
【００１９】
第一の樹脂粒（Ａ）は、樹脂成分としてポリプロピレン（Ａ２）を使用する。ポリプロピレン（Ａ２）は、メルトフローレート（ＭＦＲ）が、０．１〜４００ｇ／１０分のものが好適である。メルトフローレートは、０．１〜５０ｇ／１０分、０．４〜１０ｇ／分のものがさらに好適である。なお、本明細書におけるメルトフローレートは、ＪＩＳ  Ｋ７２１０に準拠して、１９０℃、２．１６ｋｇ荷重下で測定したものである。
【００２０】
第一の樹脂粒（Ａ）には、タルク、炭酸カルシウム、マイカ、ガラス繊維等の無機系の充填材、ポリエステル、ポリアミド繊維等の有機系の充填材、難燃剤、安定剤、酸化防止剤、赤外線吸収剤、可塑剤、滑剤等の各種添加剤、染料、顔料等の着色剤を配合することができる。
【００２１】
第一の樹脂粒（Ａ）は、ポリプロピレン（Ａ２）１００質量部に対し、針葉樹木粉（Ａ１）を３０〜５０質量部の割合で含むことが好ましい。混合する第二の樹脂粒（Ｂ）中の針葉樹木粉（Ｂ１）の割合にもよるが、針葉樹木粉（Ａ１）の割合が３０質量部より小さい場合、木粉含有ポリオレフィン樹脂組成物の機械強度が十分でない場合がある。また、針葉樹木粉（Ａ１）の割合が５０質量部より大きい場合、ポリプロピレン（Ａ２）との溶融混練が不充分となることがある。
【００２２】
第一の樹脂粒（Ａ）は、針葉樹木粉（Ａ１）とポリプロピレン（Ａ２）とを、溶融混練した後、ペレット等の粒状体としたものである。溶融混練に用いられる装置としては、ブレンダー、ニーダー、ミキシングロール、バンバリーミキサー、一軸または二軸の押出機を使用することができる。上記装置内に、フィーダー等により所定量の針葉樹木粉（Ａ１）とポリプロピレン（Ａ２）を投入し、ポリプロピレン（Ａ２）が溶融し、針葉樹木粉（Ａ１）が炭化しない温度、例えば、１７０〜２００℃程度に加熱し、混練する。溶融混練後、ペレット状の第一の樹脂粒（Ａ）が得られる。
【００２３】
[第二の樹脂粒（Ｂ）]
第二の樹脂粒（Ｂ）は、セルロース系材料として針葉樹木粉（Ｂ１）を使用する。針葉樹木粉（Ｂ１）は、針葉樹が粉砕されたものである。針葉樹木粉（Ｂ１）としては、第一の樹脂粒（Ａ）の針葉樹木粉（Ａ１）と同様の原料、大きさのものを例示することができる。針葉樹木粉（Ｂ１）は、針葉樹木粉（Ａ１）と同一であっても、異なるものであってもよい。
【００２４】
第二の樹脂粒（Ｂ）は、樹脂成分としてポリエチレン（Ｂ２）を含む。ポリエチレン（Ｂ２）としては、低密度ポリエチレン、中密度ポリエチレン、高密度ポリエチレン、直鎖状低密度ポリエチレン、直鎖状超低密度ポリエチレン等を例示することができる。中でも、配合した木粉含有ポリオレフィン樹脂組成物の耐衝撃性向上の観点では、高密度ポリエチレンが好ましい。
【００２５】
第二の樹脂粒（Ｂ）は、メルトフローレート（ＭＦＲ）が、０．１〜４００ｇ／１０分のものが好適である。メルトフローレートは、０．１〜５０ｇ／１０分、０．４〜１０ｇ／分のものがさらに好適である。
【００２６】
第二の樹脂粒（Ｂ）は、無水マレイン酸変性ポリエチレン樹脂（Ｂ３）を含む。ポリエチレン（Ｂ２）、およびポリプロピレン（Ａ２）は、疎水性が高く、針葉樹木粉（Ａ１）、（Ｂ１）の表面は、水酸基およびグリコシド結合を有する極性の高い表面である。したがって、針葉樹木粉（Ａ１）、（Ｂ１）と、ポリエチレン（Ｂ２）、およびポリプロピレン（Ａ２）との相溶性が低く、均一に分散することが困難である。本発明では、針葉樹木粉（Ａ１）、（Ｂ１）と、ポリエチレン（Ｂ２）、およびポリプロピレン（Ａ２）との相溶性を向上する目的で、第二の樹脂粒（Ｂ）は、無水マレイン酸変性ポリエチレン樹脂（Ｂ３）を含む。
【００２７】
無水マレイン酸変性ポリエチレン樹脂（Ｂ３）は、メルトフローレート（ＭＦＲ）が、０．１〜４００ｇ／１０分のものが好適である。メルトフローレートは、０．１〜５０ｇ／１０分、０．３〜１５ｇ／分のものがさらに好適である。
【００２８】
無水マレイン酸変性ポリエチレン樹脂（Ｂ３）は、無水マレイン酸由来の−Ｃ（＝Ｏ）−Ｏ−Ｃ（＝Ｏ）−結合の、針葉樹木粉（Ａ１）、（Ｂ１）表面の水酸基との水素結合や双極子相互作用により、針葉樹木粉（Ａ１）、（Ｂ１）との親和性、相溶性を向上する。一方、無水マレイン酸変性ポリエチレン樹脂（Ｂ３）のポリエチレン由来部分は、ポリプロピレン（Ａ２）、およびポリエチレン（Ｂ２）と同様に、疎水性が高く、構造も類似しているため、ポリプロピレン（Ａ２）、およびポリエチレン（Ｂ２）との親和性が高い。無水マレイン酸変性ポリエチレン樹脂（Ｂ３）は、針葉樹木粉（Ａ１）、（Ｂ１）と、ポリプロピレン（Ａ２）、およびポリエチレン（Ｂ２）とを結びつける仲介役として機能する。
【００２９】
また、無水マレイン酸変性ポリエチレン樹脂（Ｂ３）は、無水マレイン酸由来部分が、針葉樹木粉（Ａ１）、（Ｂ１）の水酸基と容易にエステル結合するため、無水マレイン酸変性ポリエチレン樹脂（Ｂ３）と針葉樹木粉（Ａ１）、（Ｂ１）とが化学結合した、木粉含有ポリオレフィン樹脂組成物を得ることができる。
【００３０】
第二の樹脂粒（Ｂ）には、第一の樹脂粒（Ａ）と同様の充填材、添加剤、着色剤を配合することができる。
【００３１】
第二の樹脂粒（Ｂ）は、ポリエチレン（Ｂ２）と無水マレイン酸変性ポリエチレン樹脂（Ｂ３）とを、質量比８０：２０〜９０：１０の割合で含むことが好ましい。無水マレイン酸変性ポリエチレン樹脂（Ｂ３）を上記の割合で配合することにより、木粉含有ポリオレフィン樹脂組成物の機械特性を向上することができる。
【００３２】
また、第二の樹脂粒（Ｂ）は、ポリエチレン（Ｂ２）と無水マレイン酸変性ポリエチレン樹脂（Ｂ３）とを合計した樹脂量１００質量部に対し、針葉樹木粉（Ｂ１）を３０〜５０質量部の割合で含むことが好ましい。混合する第一の樹脂粒（Ａ）中の針葉樹木粉（Ａ１）の割合にもよるが、針葉樹木粉（Ａ１）の割合が３０質量部より小さい場合、木粉含有ポリオレフィン樹脂組成物の機械強度が十分でない場合がある。また、針葉樹木粉（Ｂ１）の割合が５０質量部より大きい場合、ポリエチレン（Ｂ２）および無水マレイン酸変性ポリエチレン樹脂（Ｂ３）との溶融混練が不充分となることがある。
【００３３】
第二の樹脂粒（Ｂ）は、針葉樹木粉（Ｂ１）と、ポリエチレン（Ｂ２）と、無水マレイン酸変性ポリエチレン樹脂（Ｂ３）とを、溶融混練した後、ペレット等の粒状体としたものである。溶融混練に用いられる装置としては、ブレンダー、ニーダー、ミキシングロール、バンバリーミキサー、一軸または二軸の押出機を使用することができる。上記装置内に、フィーダー等により所定量の針葉樹木粉（Ｂ１）とポリエチレン（Ｂ２）と無水マレイン酸変性ポリエチレン樹脂（Ｂ３）とを投入し、ポリエチレン（Ｂ２）および無水マレイン酸変性ポリエチレン樹脂（Ｂ３）が溶融し、針葉樹木粉（Ｂ１）が炭化しない温度、例えば、１５０〜１８０℃程度に加熱し、混練する。溶融混練後、ペレット状の第二の樹脂粒（Ｂ）が得られる。
【００３４】
[木粉含有ポリオレフィン樹脂組成物]
本発明に係る木粉含有ポリオレフィン樹脂組成物は、第一の樹脂粒（Ａ）と第二の樹脂粒（Ｂ）と、からなり、ＪＩＳ  Ｋ７１７１に準拠して測定した曲げ弾性率が２０００ＭＰａ以上であり、ＪＩＳ  Ｋ７１１０に準拠して測定したシャルピー衝撃値が４．０ｋＪ／ｍ２以上である。
【００３５】
木粉含有ポリオレフィン樹脂組成物は、第一の樹脂粒（Ａ）と第二の樹脂粒（Ｂ）とを、質量比７０：３０〜９０：１０の割合で含むことが好ましい。第一の樹脂粒（Ａ）と第二の樹脂粒（Ｂ）との配合割合を上記の範囲とすることにより、高い曲げ強度と高い耐衝撃性を両立することができる。
【００３６】
木粉含有ポリオレフィン樹脂組成物は、ポリプロピレン（Ａ２）、ポリエチレン（Ｂ２）、および無水マレイン酸変性ポリエチレン樹脂（Ｂ３）とを合計した樹脂量１００質量部に対し、針葉樹木粉（Ａ１）および針葉樹木粉（Ｂ１）の合計が４０〜５０質量部であることが好ましい。全樹脂量と針葉樹木粉との配合割合を上記の範囲とすることにより、高い曲げ強度を有するとともに、成形加工性に優れる木粉含有ポリオレフィン樹脂組成物を得ることができる。
【００３７】
本発明に係る木粉含有ポリオレフィン樹脂組成物の製造方法は、
針葉樹木粉（Ａ１）と、ポリプロピレン（Ａ２）とを溶融混練して粒状の第一の樹脂粒（Ａ）を得る工程と、
針葉樹木粉（Ｂ１）と、ポリエチレン（Ｂ２）と、無水マレイン酸変性ポリエチレン樹脂（Ｂ３）とを溶融混練して粒状とした第二の樹脂粒（Ｂ）を得る工程と、
前記第一の樹脂粒（Ａ）と前記第二の樹脂粒（Ｂ）とを溶融混練する工程とを含み、
ＪＩＳ  Ｋ７１７１に準拠して測定した曲げ弾性率が２０００ＭＰａ以上であり、
ＪＩＳ  Ｋ７１１０に準拠して測定したシャルピー衝撃値が４．０ｋＪ／ｍ２以上である木粉含有ポリオレフィン樹脂組成物を製造する。
【００３８】
第一の樹脂粒（Ａ）を得る工程と、第二の樹脂粒（Ｂ）を得る工程は、上述のとおりである。第一の樹脂粒（Ａ）と前記第二の樹脂粒（Ｂ）とを溶融混練する工程は、ブレンダー、ニーダー、ミキシングロール、バンバリーミキサー、一軸または二軸の押出機等の装置を使用し、フィーダーにより所定量の第一の樹脂粒（Ａ）と、第二の樹脂粒（Ｂ）とを、装置内に投入して行う。ポリプロピレン（Ａ２）、ポリエチレン（Ｂ２）、無水マレイン酸変性ポリエチレン樹脂（Ｂ３）が溶融し、針葉樹木粉（Ａ１）、針葉樹木粉（Ｂ１）が炭化しない温度、例えば、１７０〜２００℃程度に加熱し、混練することにより木粉含有ポリオレフィン樹脂組成物を得ることができる。
【００３９】
本発明に係る木粉含有ポリオレフィン樹脂組成物は、軽量であり、高い曲げ強度および高い耐衝撃性を両立するため、自動車等の車両材料、ロボット部品、義肢部材、家電材料ＯＡ機器、建築部材、排水設備、トイレタリ材料、各種タンク、コンテナ、シート、玩具、スポーツ用品等に使用することができる。特に、高い機械的強度が要求される車両材料として好適であり、ドアートリム、ピラー、パネル、コンソール、アームレスト、スペアタイヤカバー、ドアノブ等の内装部品、バンパー、スポイラー、フェンダー、アウターパネル等の外装部品に好適に使用することができる。
【実施例】
【００４０】
以下、本発明を実施例等に基づき説明するが、本発明はこれに限定されるものではない。
【００４１】
＜使用材料＞
（１）針葉樹木粉（Ａ１）、（Ａ２）
スギ材を粉砕した、平均粒径が１００μｍの木粉
（２）ポリプロピレン（Ａ２）
ＭＦＲ（２３０℃／２．１６ｋｇｆ）＝３０ｇ／１０分
（３）ポリエチエン（Ｂ２）
高密度ポリエチレン
ＭＦＲ（１９０℃／２．１６ｋｇｆ）＝５ｇ／１０分
密度＝０．９５３ｇ／ｃｍ３
（４）無水マレイン酸変性ポリエチレン樹脂（Ｂ３）
ＭＦＲ（１９０℃／２．１６ｋｇｆ）＝１２ｇ／１０分
【００４２】
＜第一の樹脂粒（Ａ）＞
上記の針葉樹木粉（Ａ１）と、ポリプロピレン（Ａ２）とを、ポリプロピレン（Ａ２）１００質量部に対し、針葉樹木粉（Ａ１）４３質量部となるように二軸押出機のホッパーに供給し、溶融混練した後、約２~５ｍｍのペレット状の第一の樹脂粒（Ａ）を得た。
【００４３】
＜第二の樹脂粒（Ｂ）＞
上記の針葉樹木粉（Ｂ１）と、ポリエチレン（Ｂ２）と、無水マレイン酸変性ポレチレン樹脂（Ｂ３）とを、針葉樹木粉（Ｂ１）４３質量部、ポリエチレン（Ｂ２）９５質量部、無水マレイン酸変性ポリエチレン樹脂（Ｂ３）５質量部となるように二軸押出機のホッパーに供給し、溶融混練した後、約２~５ｍｍのペレット状の第二の樹脂粒（Ｂ）を得た。
【００４４】
＜第三の樹脂粒＞
上記の針葉樹木粉（Ｂ１）と、ポリエチレン（Ｂ２）とを、針葉樹木粉（Ｂ１）４３質量部、ポリエチレン（Ｂ２）１００質量部となるように二軸押出機のホッパーに供給し、溶融混練した後、約２~５ｍｍのペレット状の第三の樹脂粒を得た。
【００４５】
実施例１
第一の樹脂粒（Ａ）を７０質量部、第二の樹脂粒（Ｂ）を３０質量部となるように、二軸押出機のホッパーに供給し、溶融混練して、木粉含有ポリオレフィン樹脂組成物を得た。得られた木粉含有ポリオレフィン樹脂組成物から試験片を作製し、曲げ強度（ＪＩＳ  Ｋ７１７１）、およびシャルピー衝撃値（ＪＩＳ  Ｋ７１１０）を測定した。結果を表１に示す。
【００４６】
実施例２
第一の樹脂粒（Ａ）を８０質量部、第二の樹脂粒（Ｂ）を２０質量部となるように、二軸押出機のホッパーに供給し、溶融混練して、木粉含有ポリオレフィン樹脂組成物を得た。得られた木粉含有ポリオレフィン樹脂組成物から試験片を作製し、曲げ強度（ＪＩＳ  Ｋ７１７１）、およびシャルピー衝撃値（ＪＩＳ  Ｋ７１１０）を測定した。結果を表１に示す。
【００４７】
実施例３
第一の樹脂粒（Ａ）を６５質量部、第二の樹脂粒（Ｂ）を３５質量部となるように、二軸押出機のホッパーに供給し、溶融混練して、木粉含有ポリオレフィン樹脂組成物を得た。得られた木粉含有ポリオレフィン樹脂組成物から試験片を作製し、曲げ強度（ＪＩＳ  Ｋ７１７１）、およびシャルピー衝撃値（ＪＩＳ  Ｋ７１１０）を測定した。結果を表１に示す。
【００４８】
比較例１および比較例２
比較例１として、第一の樹脂粒（Ａ）のみからなる木粉含有ポリオレフィン樹脂組成物を使用し、比較例２として、第二の樹脂粒（Ｂ）のみからなる木粉含有ポリオレフィン樹脂組成物を使用した。得られた木粉含有ポリオレフィン樹脂組成物から試験片を作製し、曲げ強度（ＪＩＳ  Ｋ７１７１）、およびシャルピー衝撃値（ＪＩＳ  Ｋ７１１０）を測定した。結果を表１に示す。
【００４９】
比較例３
第一の樹脂粒（Ａ）を７０質量部、第三の樹脂粒を３０質量部となるように、二軸押出機のホッパーに供給し、溶融混練して、木粉含有ポリオレフィン樹脂組成物を得た。得られた木粉含有ポリオレフィン樹脂組成物から試験片を作製し、曲げ強度（ＪＩＳ  Ｋ７１７１）、およびシャルピー衝撃値（ＪＩＳ  Ｋ７１１０）を測定した。結果を表１に示す。
【００５０】
【表１】
2020158606.tif 000002
【００５１】
表１に示すように、第一の樹脂粒（Ａ）と、第二の樹脂粒（Ｂ）とからなる本発明の木粉含有ポリオレフィン樹脂組成物は、高い曲げ弾性率と、高い衝撃値とを両立することが確認された。ベース樹脂がポリプロピレン樹脂である第一の樹脂粒（Ａ）のみからなる比較例１、ベース樹脂がポリエチレン樹脂である第二の樹脂（Ｂ）のみからなる比較例２とも、衝撃強度は４．０ｋＪ／ｍ２未満であるのに対し、第一の樹脂粒（Ａ）と第二の樹脂粒（Ｂ）とを溶融混練してなる実施例１および２の耐衝撃性が、４．０ｋＪ／ｍ２以上となることは、従来技術からは推測できない効果である。